(57)【特許請求の範囲】
【請求項１】
外輪と、ハブと、複数個の転動体とを備え、このうちの外輪は、内周面に複列の外輪軌道を、外周面の軸方向外端寄り部分に、ディスクブレーキを構成するキャリパ又はサポートを支持固定する為の静止側支持フランジを、それぞれ有し、使用時に懸架装置に結合固定した状態で回転しないものであり、上記ハブは、外周面に複列の内輪軌道を有し、使用時に車輪及びディスクと共に回転するものであって、上記ハブの外周面に、その軸方向外側面をこのハブの回転中心軸に対し直角方向に存在すべき回転側円輪面とした回転側支持フランジが設けられており、上記各転動体は、上記両外輪軌道と上記両内輪軌道との間に転動自在に設けられており、上記静止側支持フランジの軸方向外側面のうちの少なくとも一部を、使用時に上記キャリパ又はサポートを取り付ける為の静止側取付面としている車輪支持用転がり軸受ユニットの製造方法であって、上記静止側支持フランジの軸方向外側面を基準として、上記外輪のうちでこの静止側支持フランジの軸方向外側面よりも軸方向内側に存在する中間基準側面部分をこの静止側支持フランジの軸方向外側面と平行に仕上げてから、上記外輪と上記ハブと上記各転動体とを組み立てた後、この外輪に対しこのハブを回転させながら、上記中間基準側面部分を基準面として利用しつつ、上記回転側支持フランジの軸方向外側面に平面加工を施す事により、上記静止側支持フランジの軸方向外側面に対する上記回転側支持フランジの軸方向外側面の平行度を向上させる、車輪支持用転がり軸受ユニットの製造方法。
【請求項２】
中間基準側面部分が、静止側支持フランジの軸方向内側面と、外輪を懸架装置に結合固定する為にこの外輪の外周面に設けた結合フランジの軸方向内側面とのうちの何れかの内側面である、請求項１に記載した車輪支持用転がり軸受ユニットの製造方法。
【請求項３】
回転側支持フランジが、車輪並びにディスクブレーキを構成するディスクを支持固定する為のものであり、この回転側支持フランジの軸方向外側面に設けられて、使用時に上記車輪並びにディスクを取り付ける為の回転側取付面の内径側端部に、この回転側取付面よりも軸方向外方に突出する位置決め筒部が設けられており、上記回転側取付面に仕上加工を施す為に上記ハブを保持した状態のまま、上記位置決め筒部の外周面に、この外周面を上記ハブと同心にする仕上加工を行なう、請求項１〜２のうちの何れか１項に記載した車輪支持用転がり軸受ユニットの製造方法。
【請求項４】
外輪と、ハブと、複数個の転動体と、ディスクとを備え、このうちの外輪は、内周面に複列の外輪軌道を、外周面の軸方向外端寄り部分に、ディスクブレーキを構成するキャリパ又はサポートを支持固定する為の静止側支持フランジを、それぞれ有し、使用時に懸架装置に結合固定した状態で回転しないものであり、上記ハブは、外周面に複列の内輪軌道を有し、使用時に車輪及び上記ディスクと共に回転するものであって、上記ディスクは上記ハブの外周面に結合固定されていて、その軸方向両側面を、このハブの回転中心軸に対し直角方向に存在すべき面である回転側円輪面としており、上記各転動体は、上記両外輪軌道と上記両内輪軌道との間に転動自在に設けられており、上記静止側支持フランジの軸方向外側面の少なくとも一部を、使用時に上記キャリパ又はサポートを取り付ける為の静止側取付面としている車輪支持用転がり軸受ユニットの製造方法であって、上記静止側支持フランジの軸方向外側面を基準として、上記外輪のうちでこの静止側支持フランジの軸方向外側面よりも軸方向内側に存在する中間基準側面部分をこの軸方向外側面と平行に仕上げてから、上記外輪と上記ハブと上記各転動体と上記ディスクとを組み立てた後、この外輪に対しこのディスクを回転させながら、上記中間基準側面部分を基準面としてこのディスクの軸方向両側面に平面加工を施す事により、上記静止側支持フランジの軸方向外側面に対する上記ディスクの軸方向両側面の面の平行度を向上させる、車輪支持用転がり軸受ユニットの製造方法。
【請求項５】
中間基準側面部分が、静止側支持フランジの軸方向内側面と、外輪の外周面に、この外輪を懸架装置に結合固定する為に設けた結合フランジの軸方向内側面とのうちの何れかの内側面である、請求項４に記載した車輪支持用転がり軸受ユニットの製造方法。
【発明の詳細な説明】
【技術分野】
【０００１】
この発明は、自動車の車輪並びにディスクブレーキを構成するディスクを懸架装置に対して回転自在に支持すると共に、このディスクブレーキを構成するキャリパ又はサポートを支持する車輪支持用転がり軸受ユニットの製造方法の改良に関する。
【背景技術】
【０００２】
自動車の車輪を構成するホイール及びディスクブレーキを構成するディスクは、懸架装置を構成するナックルに対し、車輪支持用転がり軸受ユニットにより回転自在に支持する。一方、上記ディスクブレーキを構成するキャリパ又はサポートは、上記ナックルに支持固定するのが一般的である。これに対して、近年、自動車への組み付け性や取り扱い性を向上させる観点より、上記キャリパ又はサポートを、車輪支持用転がり軸受ユニットを構成する静止側部材に支持固定する事が考えられている。例えば特許文献１には、車輪支持用転がり軸受ユニットを構成する静止側部材である外輪の外周面に、上記キャリパ又はサポートを支持固定する為のフランジを設けた構造が記載されている。
【０００３】
図１６〜１７は、上記特許文献１に記載された公知の構造とは異なるが、本発明者が先に考えた、静止側部材の外周面に上記キャリパ又はサポートを支持固定する為のフランジを設けた車輪支持用転がり軸受ユニットの１例を示している。この車輪支持用転がり軸受ユニットは、静止側部材である外輪１と、回転側部材であるハブ２と、それぞれが転動体である複数個の玉３、３とを備える。このうちの外輪１は、内周面に複列の外輪軌道４ａ、４ｂを有する。又、外周面の内端（軸方向に関して「内」とは、自動車への組み付け状態で車両の幅方向中央側を言い、図８、１２、１６〜１８の右側、図１〜７、９〜１１、１３、１５の下側、及び、図１４の上側。反対に、車両の幅方向外側となる、図８、１２、１６〜１８の左側、図１〜７、９〜１１、１３、１５の上側、及び、図１４の下側を、軸方向に関して「外」と言う。本明細書及び特許請求の範囲の全体で同じ。）寄り部分に、上記ナックル（図示せず）に結合固定する為の結合フランジ５を、同じく中間部（この結合フランジ５の軸方向外側に隣接する部分）の円周方向一部に、上記キャリパ又はサポート（図示せず）を支持固定する為の静止側支持フランジ６を、それぞれ有する。
【０００４】
又、上記ハブ２は、ハブ本体７と、このハブ本体７の内端部に外嵌固定した内輪８とから成る。この様なハブ２は、外周面の外端寄り部分に上記ホイール及びディスク９（後述する図１８参照）を支持固定する為の回転側支持フランジ１０を、同じく中間部乃至内端部に複列の内輪軌道１１ａ、１１ｂを、それぞれ有する。尚、このうちの回転側支持フランジ１０及び外側の内輪軌道１１ａは、上記ハブ本体７の外周面に、内側の内輪軌道１１ｂは上記内輪８の外周面に、それぞれ形成している。又、上記回転側支持フランジ１０の円周方向複数個所には、それぞれ当該個所を軸方向に貫通する圧入孔１２を設けると共に、これら各圧入孔１２、１２の内側にそれぞれスタッド１３を圧入固定している。又、上記各玉３、３は、上記各外輪軌道４ａ、４ｂと上記各内輪軌道１１ａ、１１ｂとの間にそれぞれ複数個ずつ、転動自在に設けている。尚、図示の例では、転動体として玉３、３を使用しているが、重量が嵩む自動車用の転がり軸受ユニットの場合には、転動体として円すいころを使用する場合もある。
【０００５】
上述の様に構成する車輪支持用転がり軸受ユニットを自動車に組み付ける場合には、上記結合フランジ５の内側面を上記ナックルの側面に接触させた状態で、この結合フランジ５をこのナックルに結合固定する。又、上記回転側支持フランジ１０の軸方向両側面のうちで上記車輪並びにディスクを取り付ける為の外側面である回転側取付面１４に、図１８に示す様に、上記ディスク９の片側面内径寄り部分を接触させた状態で、上記回転側支持フランジ１０にこのディスク９及び上記ホイールを、上記複数のスタッド１３とナット（図示せず）とにより支持固定する。又、上記ディスクブレーキがフローティングキャリパ型である場合には、キャリパを支持するサポートを、上記ディスクブレーキが対向ピストン型である場合にはキャリパを、上記静止側支持フランジ６の外側面である静止側取付面１５に接触させた状態で取り付ける。そして、上記ディスク９と上記キャリパとを組み合わせる事により、上記ディスクブレーキを構成する。制動時には、上記ディスクを挟んで設けた、上記サポート又は上記キャリパに組み付けた１対のパッドを、このディスクの両側面に押し付ける。尚、図示の車輪支持用転がり軸受ユニットは従動輪（ＦＦ車の後輪、ＦＲ車の前輪）用であるが、駆動輪（ＦＦ車の前輪、ＦＲ車の後輪、４ＷＤ車の全車輪）用の車輪支持用転がり軸受ユニットの場合には、ハブの中心部にスプライン孔を設ける。そして、自動車への組み付け時に、このスプライン孔に等速ジョイントのスプライン軸（駆動軸）をスプライン係合させる。
【０００６】
ところで、上述した様な静止側支持フランジ６を有し、上記ディスク９と組み合わされた状態で使用される車輪支持用転がり軸受ユニットを製造する場合に従来は、上記静止側取付面１５の仕上加工と上記回転側取付面１４の仕上加工とを、それぞれ別個独立に（直接的な関連性を持たせる事なく）行なっていた。上記静止側取付面１５の仕上加工と、上記ディスク９の径方向外半部の両側面であって互いに平行な１対の制動用摩擦面１６、１６との仕上加工に就いても同様である。ところが、この様に静止側取付面１５の仕上加工と、上記回転側取付面１４或いは上記両制動用摩擦面１６、１６の仕上加工をそれぞれ別個独立に行なうと、これら各面１４、１５、１６の面精度（例えば、平面度や中心軸に対する直角度）を十分に確保できても、完成後にこれら各面１４、１５、１６同士の相対精度（例えば平行度）を十分に確保できなくなる可能性がある。
【０００７】
例えば、上記回転側、静止側両取付面１４、１５同士の平行度、或いは、この静止側取付面１５と上記両制動用摩擦面１６、１６との平行度が十分に確保されていない場合には、これら両制動用摩擦面１６、１６と、上記静止側取付面１５に取り付けたサポート又はキャリパとの、互いの位置関係を良好に（所望通りに）できなくなる。この結果、上記両制動用摩擦面１６、１６と前記１対のパッドとの接触状態が不均一になる。そして、この不均一の度合いが大きくなると、制動時に、ジャダーと呼ばれる、異音を伴った振動が発生し易くなる。従って、この様なジャダーの発生を抑えられる様にすべく、上記回転側、静止側両取付面１４、１５同士の平行度、延いては、この静止側取付面１５と上記両制動用摩擦面１６、１６との平行度を十分に確保できる製造方法を実現する事が望まれる。
【０００８】
尚、本発明に関連する他の先行技術として、特許文献２に記載された車輪支持用転がり軸受ユニットの製造方法がある。この特許文献２に記載された製造方法は、車輪支持用転がり軸受ユニットを構成する静止側部材と回転側部材と複数個の転動体とを組み立てた後、静止側部材に対して回転側部材を回転させながら、ディスクを取り付ける面である回転側取付面に、平面加工である旋削加工を施すと言うものである。この様な製造方法を実施すれば、上記回転側取付面の回転時のアキシアル方向の振れを抑える事ができる為、この回転側取付面に取り付ける上記ディスクの、アキシアル方向の振れに基づくジャダーの発生を抑制できる。但し、上記特許文献２には、実施の対象として、キャリパ又はサポートを支持固定する為の静止側支持フランジを備えた車輪支持用転がり軸受ユニットは記載されていない。即ち、上記特許文献２に記載された製造方法は、上記静止側支持フランジを備えた車輪支持用転がり軸受ユニットを実施の対象とし、且つ、この静止側支持フランジの側面である静止側取付面と、上記回転側取付面或いはディスクの制動用摩擦面との平行度を確保すると言った事は、意図してはいない。
【０００９】
又、特許文献３には、車輪支持用転がり軸受ユニットを構成する、静止側部材と、回転側部材と、複数個の転動体と、ディスクとを組み立てた後、静止側部材に対して回転側部材及びディスクを回転させながら、このディスクに設けた１対の制動用摩擦面に、平面加工である旋削加工を施す、車輪支持用転がり軸受ユニットに関する製造方法が記載されている。この様な製造方法を実施すれば、上記各制動用摩擦面の回転時のアキシアル方向の振れを抑える事ができる為、この様なアキシアル方向の振れに基づくジャダーの発生を抑制できる。但し、上記特許文献３にも、実施の対象として、キャリパ又はサポートを支持固定する為の静止側支持フランジを備えたディスク付の車輪支持用転がり軸受ユニットは記載されていない。即ち、上記特許文献３に記載された製造方法にしても、上述した特許文献２に記載された製造方法と同様に、上記静止側支持フランジを備えた車輪支持用転がり軸受ユニットを実施の対象としてはおらず、従って、この静止側支持フランジの側面である取付面と上記１対の制動用摩擦面との平行度を確保すると言った事は、意図してはいない。
【先行技術文献】
【特許文献】
【００１０】
【特許文献１】米国特許出願公開第２００３／０１６５２８０号明細書
【特許文献２】特表２００３−５１４６８０号公報
【特許文献３】米国特許第６１５８１２４号明細書
【発明の概要】
【発明が解決しようとする課題】
【００１１】
本発明の車輪支持用転がり軸受ユニットの製造方法は、上述の様な事情に鑑み、制動時のジャダーの発生を抑えられる様にすべく、ディスクを取り付ける回転側取付面、或いはこのディスクの制動用摩擦面と、サポート又はキャリパを取り付ける静止側取付面との、互いの平行度を十分に確保できる製造方法を実現すべく発明したものである。
【課題を解決するための手段】
【００１２】
本発明の製造方法の対象となる車輪支持用転がり軸受ユニットは、外輪と、ハブと、複数個の転動体とを備える。更に、請求項４に記載した製造方法の発明の対象となる車輪支持用転がり軸受ユニットは、これらに加えてディスクを備える。
このうちの外輪は、内周面に複列の外輪軌道を、外周面にディスクブレーキを構成するキャリパ又はサポートを支持固定する為の静止側支持フランジを、それぞれ有し、使用時に懸架装置に結合固定した状態で回転しない。
又、上記ハブは、外周面に複列の内輪軌道を有し、使用時に車輪及び上記ディスクと共に回転する。そして、上記ハブの外周面に、その軸方向外側面をこのハブの回転中心軸に対し直角方向に存在すべき回転側円輪面とした、回転側支持フランジが設けられている。
又、上記各転動体は、上記両外輪軌道と上記両内輪軌道との間に転動自在に設けられている。
更に、上記静止側支持フランジの軸方向外側面の少なくとも一部を、使用時に上記キャリパ又はサポートを取り付ける為の静止側取付面としている。
【００１３】
そして、本発明の車輪支持用転がり軸受ユニットの製造方法のうち、請求項１に記載した車輪支持用転がり軸受ユニットの製造方法の場合には、先ず、上記静止側支持フランジの軸方向外側面を基準として、上記外輪のうちでこの静止側支持フランジの軸方向外側面よりも軸方向内側に存在する中間基準側面部分をこの軸方向外側面と平行に仕上げてから、上記外輪と上記ハブと上記各転動体とを組み立てる。その後、このハブをこの外輪に対し回転させながら、上記中間基準側面部分を基準面として、上記回転側支持フランジの軸方向外側面に平面加工を施す事により、上記静止側支持フランジの軸方向外側面に対する上記回転側支持フランジの軸方向外側面の面の平行度を向上させる。
【００１４】
上述の様な請求項１に記載した車輪支持用転がり軸受ユニットの製造方法を実施する場合、具体的には、例えば請求項２に記載した発明の様に、上記中間基準側面部分を、上記静止側支持フランジの軸方向内側面と、上記外輪を懸架装置に結合固定する為にこの外輪の外周面に設けた結合フランジの軸方向内側面とのうちの、何れかの内側面とする。
【００１５】
或いは、請求項３に記載した発明の様に、上記回転側支持フランジを、車輪並びにディスクブレーキを構成するディスクを支持固定する為のものとし、上記回転側取付面の内径側端部に、この回転側取付面よりも軸方向外方に突出する位置決め筒部を設けたものとする。そして、この回転側支持フランジの軸方向外側面に設けられて、使用時に上記車輪並びにディスクを取り付ける為の回転側取付面の内径側端部に、この回転側取付面よりも軸方向外方に突出する位置決め筒部を設けたものとする。そして、上記回転側取付面に仕上加工を施す為に上記ハブを保持した状態のまま、上記位置決め筒部の外周面に、この外周面を上記ハブと同心にする仕上加工を行なう。
【００１６】
又、請求項４に記載した発明の場合には、上記ハブは、使用時に車輪及びディスクと共に回転するものであって、上記ディスクはこのハブの外周面に結合固定されていて、その軸方向両側面を、このハブの回転中心軸に対し直角方向に存在すべき面である回転側円輪面としている。
そして、請求項４に記載した車輪支持用転がり軸受ユニットの製造方法では、上記静止側支持フランジの軸方向外側面を基準として、上記外輪のうちでこの静止側支持フランジの軸方向外側面よりも軸方向内側に存在する中間基準側面部分をこの軸方向外側面と平行に仕上げてから、上記外輪と上記ハブと上記各転動体と上記ディスクとを組み立てる。その後、上記ディスクを上記外輪に対し回転させながら、上記中間基準側面部分を基準面としてこのディスクの軸方向両側面に平面加工を施す事により、上記静止側支持フランジの軸方向外側面に対する上記ディスクの軸方向両側面の面の平行度を向上させる。
【００１７】
上述の請求項４に記載した発明を実施する場合に具体的には、請求項５に記載した発明の様に、前記中間基準側面部分を、上記静止側支持フランジの軸方向内側面と、上記外輪の外周面に、この外輪を懸架装置に結合固定する為に設けた結合フランジの軸方向内側面とのうちの何れかの面とする。
【発明の効果】
【００１８】
上述の様に、本発明の車輪支持用転がり軸受ユニットの製造方法によれば、ディスクを取り付ける、回転側支持フランジの軸方向外側面、或いはこのディスクに設けた１対の制動用摩擦面と、サポート又はキャリパを取り付ける静止側取付面との、互いの平行度を十分に確保できる。具体的には、請求項１〜３に記載した製造方法によれば、静止側支持フランジの軸方向外側面に対する回転側支持フランジの軸方向外側面の平行度を向上させる事ができるし、請求項４に記載した発明によれば、静止側支持フランジの軸方向外側面に対する上記ディスクの軸方向両側面の平行度を向上させる事ができる。この為、何れの発明の場合でも、ディスクと、上記静止側取付面に取り付けるサポート又はキャリパとの、互いの位置関係を良好にできる。従って、何れの製造方法により製造した場合も、制動時に、上記ディスクに設けた上記両制動用摩擦面と、上記サポート又はキャリパに組み付けた１対のパッドとの接触状態を良好にできる。この結果、制動時にジャダーが発生するのを抑える事ができる。
【００１９】
又、本発明の場合、上記回転側取付面又は上記両制動用摩擦面である回転側円輪面を備えた部材（ハブ又はディスク）を、上記静止側取付面を備えた部材（外輪）に対し回転させながら、この静止側取付面を（間接的に）基準面として上記回転側円輪面に平面加工を施す為、平行度を向上させられるだけでなく、上記回転側取付面又は上記両制動用摩擦面の回転時の、アキシアル方向の振れを抑える事もできる。従って、上記回転側取付面に取り付ける上記ディスクに設けた１対の制動用摩擦面の、更には直接的にこれら両制動用摩擦面の、アキシアル方向の振れを抑える事ができ、この点からも、上記ジャダーの発生を抑える事ができる。
【図面の簡単な説明】
【００２０】
【図１】本発明に関する参考例の第１例を、車輪支持用転がり軸受ユニットの回転側取付面に仕上加工としての旋削加工を施す状態で示す断面図。
【図２】同じく、静止側取付面に仕上加工としての旋削加工を施す状態で示す断面図。
【図３】本発明に関する参考例を適用可能な車輪支持用転がり軸受ユニットの別例を示す断面図。
【図４】本発明に関する参考例の第２例を、１対の制動用摩擦面に仕上加工としての旋削加工を施す状態で示す断面図。
【図５】同じく、静止側取付面に仕上加工としての旋削加工を施す状態で示す断面図。
【図６】本発明に関する参考例を適用可能なディスク付の車輪支持用転がり軸受ユニットの別例を示す断面図。
【図７】本発明の実施の形態の１例を示す断面図。
【図８】外輪の外周面に設けた各面を加工する状態を説明する為の模式図。
【図９】本発明に関する参考例の第３例を示す断面図。
【図１０】同第４例を示す断面図。
【図１１】同別例を示す断面図。
【図１２】本発明を実施する場合に留意する事項の第１例を説明する為の断面図。
【図１３】同第２例を説明する為の断面図。
【図１４】同じく別例を示す斜視図。
【図１５】本発明を実施する場合に留意する事項の第３例を説明する為の断面図。
【図１６】本発明の対象となる車輪支持用転がり軸受ユニットの第１例を示す断面図。
【図１７】同じく、一部を省略して示す斜視図。
【図１８】本発明の対象となる車輪支持用転がり軸受ユニットの第２例を示す断面図。
【発明を実施するための形態】
【００２１】
［本発明に関する参考例の第１例］
図１〜２は、本発明に関する参考例の第１例を示している。尚、本参考例の特徴は、ディスクブレーキを構成するディスク９（図４〜６、１８参照）を取り付ける面である回転側支持フランジ１０の外側面（回転側取付面１４）と、同じくサポート又はキャリパ（図示せず）を取り付ける面である静止側支持フランジ６の外側面（静止側取付面１５）とに、それぞれ仕上加工としての旋削加工を施す方法にある。対象となる車輪支持用転がり軸受ユニットの基本構造等、その他の部分の構造及び作用は、前述の図１６〜１７に示した車輪支持用転がり軸受ユニットの場合と同様である。この為、同等部分には同一符号を付して、重複する説明を省略若しくは簡略にし、以下、本参考例の特徴部分を中心に説明する。
【００２２】
本参考例の場合には、先ず、図１に示す様に、上記回転側支持フランジ１０の円周方向複数個所に形成した圧入孔１２の内側に、それぞれスタッド１３を軸方向内側から圧入して固定すると共に、外輪１とハブ２とを、複数個の玉３、３を介して互いに組み合わせる事により、車輪支持用転がり軸受ユニットを構成する。そして、この状態で、上記回転側取付面１４に仕上加工としての旋削加工を施す作業を、上記静止側取付面１５を基準面として利用する事により行なう。この為に、本参考例の場合には、上記静止側取付面１５を支持具１７ａの側面（図１の下面）１８ａに密接させた状態で、図示しないボルトやバンド等の結合固定具により、上記静止側支持フランジ６を上記支持具１７ａに結合固定する。そして、この状態で、図示しない駆動装置により上記ハブ２を回転駆動しつつ、精密加工バイト等の工具１９ａ、１９ｂにより、上記回転側取付面１４に旋削加工を施す。具体的には、一方の工具１９ａにより、上記回転側取付面１４のうち、上記各圧入孔１２の開口部を含む円輪状部分（次述する凹部２０）よりも径方向外側部分に、旋削加工を施す。これと共に、他方の工具１９ｂにより、同じく上記円輪状部分よりも径方向内側部分に、旋削加工を施す。この様な旋削加工を施す際に、上記各工具１９ａ、１９ｂはそれぞれ、上記支持具１７ａの側面１８ａ（上記静止側取付面１５）に対し平行に移動させる。そして、この様に静止側取付面１５を基準面として回転側取付面１４に旋削加工を施す事により、この回転側取付面１４の平面度を向上させると共に、この回転側取付面１４と上記静止側取付面１５との平行度を向上させる。
【００２３】
尚、本参考例の場合、上記回転側取付面１４のうち、上記円輪状部分は、上記各圧入孔１２に上記各スタッド１３を圧入する以前から、凹部２０としている。これにより、これら各圧入孔１２にこれら各スタッド１３を圧入する際に、上記回転側取付面１４に歪みを生じにくくすると共に、上記旋削加工の完了後に、上記円輪状部分が他の部分（上記各工具１９ａ、１９ｂにより旋削加工を施した部分）に比べて軸方向に突出するのを防止している。又、本参考例の場合には、上記各圧入孔１２に上記各スタッド１３を圧入した後に上記回転側取付面１４に旋削加工を施す為、圧入に伴ってこの回転側取付面１４に歪みが生じた場合でも、上記旋削加工によりこの歪みを解消できる。
【００２４】
上述の様にして回転側取付面１４に旋削加工を施したならば、次いで、図２に示す様に、上記静止側取付面１５に、仕上加工としての旋削加工を施す作業を、上記回転側取付面１４を基準面として利用する事により行なう。この為に、本参考例の場合には、上記回転側取付面１４を支持具１７ｂの側面（図２の下面）１８ｂに密接させた状態で、図示しないボルトやバンド（或はスタッド１３に螺合したナット）等の結合固定具により、上記回転側支持フランジ１０を上記支持具１７ｂに結合固定する。そして、この状態で、図示しない駆動装置により上記外輪１を回転駆動しつつ、精密加工バイト等の工具１９ｃにより、上記静止側取付面１５に旋削加工を施す。この旋削加工の際に、この工具１９ｃは、上記支持具１７ｂの側面１８ｂ（上記回転側取付面１４）に対し平行に移動させる。そして、この様に回転側取付面１４を基準面として静止側取付面１５に旋削加工を施す事により、この静止側取付面１５の平面度を向上させると共に、この静止側取付面１５と上記回転側取付面１４との平行度を、更に向上させる。
【００２５】
上述の様に、本参考例の車輪支持用転がり軸受ユニットの製造方法の場合には、回転側、静止側両取付面１４、１５同士の平行度を良好にできる。この為、この回転側取付面１４に取り付けるディスクと、上記静止側取付面１５に取り付けるサポート又はキャリパとの、互いの位置関係を良好にできる。従って、制動時に、上記ディスクの両側面と、上記キャリパに組み付けた１対のパッドとの接触状態を良好にできる。この結果、制動時にジャダーが発生するのを抑える事ができる。又、本参考例の場合には、外輪１に対してハブ２を回転させながら、上記回転側取付面１４に旋削加工を施す為、上記両取付面１４、１５同士の平行度を良好にできるだけでなく、自動車の走行時に、この回転側取付面１４のアキシアル方向の振れを抑える（平行な状態のまま振れる事も抑える）事ができる。従って、この回転側取付面１４に取り付ける上記ディスクの両側面のアキシアル方向の振れを抑える事ができ、この点からも、上記ジャダーの発生を抑える事ができる。
【００２６】
尚、上述した参考例は、スタッド１３を、回転側支持フランジ１０に形成した圧入孔１２の内側に圧入固定する構造に関する参考例である。但し、本参考例の技術思想は、図３に示す様な構造、即ち、ホイール及びディスクロータを挿通した図示しないボルトを、回転側支持フランジ１０に形成したねじ孔２６に螺合固定する構造に対して、適用する事もできる。勿論、この場合には、回転側取付面１４の旋削加工は、上記ねじ孔２６に上記ボルトを螺合する以前の状態で行なう。
【００２７】
又、上述した参考例の第１例では、回転側取付面１４に旋削加工を施した後に、静止側取付面１５に旋削加工を施したが、これとは逆に、この静止側取付面１５に旋削加工を施した後に、上記回転側取付面１４に旋削加工を施す事もできる。又、上述した参考例の第１例では、静止側取付面１５を基準面として回転側取付面１４に旋削加工を施す作業と、この回転側取付面１４を基準面として上記静止側取付面１５に旋削加工を施す作業との、双方を行なったが、本参考例の技術思想を実施する場合には、これら両作業のうちの何れか一方の作業のみを行なう様にしても良い。但し、この場合には、基準面とする取付面の平面度を、予め良好に仕上げておくのが好ましい。更に、上述した参考例の１例では、回転側、静止側各取付面１４、１５に施す仕上加工として、旋削加工を採用したが、これに代えて（或はこれに加えて）、研削加工を採用する事もできる。
【００２８】
又、上述した参考例の第１例では、外輪１の外周面のうち結合フランジ５の軸方向外側に隣接する部分に静止側支持フランジ６を形成した構造を、実施の対象とした。これに対し、前記特許文献１には、結合フランジの径方向外端部に静止側支持フランジを一体的に形成した構造が記載されている。本参考例の技術思想は、勿論、この様な特許文献１に記載された構造を対象として実施する事も可能である。更には、結合フランジの両側面のうちの軸方向内側面をナックルに対する突き当て面とし、軸方向外側面をサポート又はキャリパの取付面とする構造で、本参考例の技術思想を実施する事も可能である。
【００２９】
［本発明に関する参考例の第２例］
図４〜５は、本発明に関する参考例の第２例を示している。尚、本参考例の特徴は、ディスク９の径方向外端部の両側面である１対の制動用摩擦面１６、１６と、静止側支持フランジ６の外側面である静止側取付面１５とに、それぞれ仕上加工としての旋削加工を施す方法にある。対象となるディスク付の車輪支持用転がり軸受ユニットの基本構造等、その他の部分の構造及び作用は、前述の図１８に示した、ディスク付の車輪支持用転がり軸受ユニットの場合と同様である。この為、同等部分には同一符号を付して、重複する説明を省略若しくは簡略にし、以下、本参考例の特徴部分を中心に説明する。
【００３０】
本参考例の場合には、先ず、図４に示す様に、外輪１とハブ２とを、複数個の玉３、３を介して互いに組み合わせると共に、回転側支持フランジ１０の外側面に上記ディスク９を、１乃至複数本のねじ２１で結合固定する事により、ディスク付の車輪支持用転がり軸受ユニットを構成する。更に、上記回転側支持フランジ１０の各圧入孔１２に圧入固定し、且つ、上記ディスク９の各通孔３８に挿通したスタッド１３の雄ねじ部に、それぞれ抑えナット２５を螺合し、更に締め付ける。そして、これら各抑えナット２５の締結力により、上記ディスク９を上記回転側支持フランジ１０の外側面に抑え付ける事で、この回転側支持フランジ１０に対する上記ディスク９の結合強度を十分に確保する。
【００３１】
そして、この状態で、上記ディスク９に設けた１対の制動用摩擦面１６、１６に仕上加工としての旋削加工を施す作業を、上記静止側取付面１５を基準面として利用する事により行なう。この為に、本参考例の場合には、上記静止側取付面１５を支持具２３ａの側面（図４の下面）２２ａに密接させた状態で、図示しないボルトやバンド等の結合固定具により、上記静止側支持フランジ６を上記支持具２３ａに支持固定する。そして、この状態で、図示しない駆動装置により上記ハブ２を回転駆動しつつ、精密加工バイト等の工具２４ａ、２４ｂにより、上記両制動用摩擦面１６、１６に旋削加工を施す。この様な旋削加工を施す際に、上記各工具２４ａ、２４ｂはそれぞれ、上記支持具２３ａの側面２２ａ（上記静止側取付面１５）に対し平行に移動させる。そして、この様に静止側取付面１５を基準面として１対の制動用摩擦面１６、１６に旋削加工を施す事により、これら両制動用摩擦面１６、１６の平面度を向上させると共に、これら両制動用摩擦面１６、１６と上記静止側取付面１５との平行度を向上させる。
【００３２】
上述の様にして両制動用摩擦面１６、１６に旋削加工を施したならば、次いで、図５に示す様に、上記静止側取付面１５に仕上加工としての旋削加工を施す作業を、軸方向外側の制動用摩擦面１６を基準面として利用する事により行なう。この為に、本参考例の場合には、上記軸方向外側の制動用摩擦面１６を支持具２３ｂの側面（図５の下面）２２ｂに密接させた状態で、図示しないボルトやバンド等の結合固定具により、上記ディスク９及びハブ２を上記支持具２３ｂに支持固定する。そして、この状態で、図示しない駆動装置により上記外輪１を回転駆動しつつ、精密加工バイト等の工具２４ｃにより、上記静止側取付面１５に旋削加工を施す。この旋削加工の際に、この工具２４ｃは、上記支持具２３ｂの側面２２ｂ（上記軸方向外側の制動用摩擦面１６）に対し平行に移動させる。そして、この様に軸方向外側の制動用摩擦面１６を基準面として静止側取付面１５に旋削加工を施す事により、この静止側取付面１５の平面度を向上させると共に、この静止側取付面１５と上記両制動用摩擦面１６、１６との平行度を、更に向上させる。
【００３３】
上述の様にして静止側取付面１５に旋削加工を施したならば、前記各スタッド１３の雄ねじ部から、前記各抑えナット２５を取り外す。尚、本参考例の技術思想を実施する場合、上記回転側支持フランジ１０に対する上記ディスク９の結合強度を、前記各ねじ２１により十分に確保できる場合には、上述した様な旋削加工は、上記各抑えナット２５を使用せずに行なっても良い。又、上記静止側取付面１５に旋削加工を施す際の基準面は、軸方向内側の制動用摩擦面１６であっても良い。
【００３４】
上述の様に、本参考例のディスク付の車輪支持用転がり軸受ユニットの製造方法の場合には、１対の制動用摩擦面１６、１６と静止側取付面１５との平行度を良好にできる。この為、これら両制動用摩擦面１６、１６と、上記静止側取付面１５に取り付けるサポート又はキャリパとの、互いの位置関係を良好にできる。従って、制動時に、上記両制動用摩擦面１６、１６と、上記キャリパに組み付けた１対のパッドとの接触状態を良好にできる。この結果、制動時にジャダーが発生するのを抑制できる。又、本参考例の場合には、外輪１に対してハブ２を回転させながら、上記両制動用摩擦面１６、１６に旋削加工を施す為、自動車の走行時に、これら両制動用摩擦面１６、１６のアキシアル方向の振れを抑える事ができる。従って、この点からも、上記ジャダーの発生を抑制できる。
【００３５】
尚、上述した参考例の第２例に就いても、スタッド１３を、回転側支持フランジ１０に形成した圧入孔１２の内側に圧入固定する構造に対して、参考例の技術思想を適用した。但し、本参考例の技術思想に就いても、図６に示す様な構造、即ち、自動車への組み付け時にホイール及びディスク９を挿通した図示しないボルトを、回転側支持フランジ１０に形成したねじ孔２６に螺合固定する構造に対して、適用する事もできる。
【００３６】
又、上述した参考例の第２例では、１対の制動用摩擦面１６、１６に旋削加工を施した後に、静止側取付面１５に旋削加工を施したが、これとは逆に、この静止側取付面１５に旋削加工を施した後に、上記両制動用摩擦面１６、１６に旋削加工を施す事もできる。又、上述した参考例の第２例では、上記静止側取付面１５を基準面として上記両制動用摩擦面１６、１６に旋削加工を施す作業と、一方の制動用摩擦面１６を基準面として上記静止側取付面１５に旋削加工を施す作業との、双方を行なったが、本参考例の技術思想を実施する場合には、これら両作業のうちの何れか一方の作業のみを行なう様にしても良い。但し、この場合には、基準面とする面の平面度を、予め良好に仕上げておくのが好ましい。更に、上述した参考例の第２例に関しても、上記両制動用摩擦面１６、１６及び静止側取付面１５に施す仕上加工として、旋削加工を採用したが、これに代えて（或はこれに加えて）、研削加工を採用する事もできる。
【００３７】
又、上述した参考例の第２例も、外輪１の外周面のうち結合フランジ５の軸方向外側に隣接する部分に静止側支持フランジ６を形成した構造を、実施の対象とした。これに対し、本参考例の技術思想に関しても、勿論、前記特許文献１に記載された様な、結合フランジの径方向外端部に静止側支持フランジを一体的に形成した構造を対象として実施する事も可能である。更には、結合フランジの両側面のうち軸方向内側面をナックルに対する突き当て面とし、軸方向外側面をサポート又はキャリパの取付面とする構造を対象として、本参考例の技術思想を実施する事も可能である。
【００３８】
［実施の形態の１例］
図７〜８は、本発明の実施の形態の１例を示している。本例の場合には、静止側支持フランジ６の軸方向外側面と回転側支持フランジ１０の軸方向内側面との間隔が狭い場合にも、この静止側支持フランジ６の軸方向外側面（静止側取付面１５）とこの回転側支持フランジ１０の軸方向外側面との平行度を向上させる事を意図している。即ち、小型の車輪支持用転がり軸受ユニットの場合、上記静止側支持フランジ６の軸方向外側面と上記回転側支持フランジ１０の軸方向内側面との間隔が狭く、そのままではこの静止側支持フランジ６の軸方向外側面を、十分に剛性が高い部分に支持固定できない可能性がある。そして、支持固定できない場合には、上記静止側支持フランジ６の軸方向外側面を基準面としてハブ２を回転させ、上記回転側支持フランジ１０の軸方向外側面（回転側取付面１４）の仕上加工を行なう事は難しい。この場合でも、この回転側支持フランジ１０の軸方向外側面を基準として上記静止側フランジ６の軸方向外側面に仕上加工を施す事は可能ではある。但し、上記回転側支持フランジ１０が全周に亙って連続する円板状であるのに対して、上記静止側支持フランジ６は円周方向の一部にのみ設けられている為、外輪１を回転させつつこの静止側支持フランジ６の軸方向外側面を平坦に仕上げる事は難しい場合がある。
【００３９】
そこで本例の場合には、上記静止側支持フランジ６の軸方向外側面を基準として、上記外輪１のうちでこの静止側支持フランジ６の軸方向外側面よりも軸方向内側に存在する中間基準側面部分をこの軸方向外側面と平行に仕上げる。この中間基準側面部分は、上記静止側支持フランジ６の軸方向内側面と、上記外輪１の外周面に設けた結合フランジ５の軸方向内側面とのうちの何れかの面とする。何れの面を中間基準側面部分として利用する場合でも、この中間基準側面部分を基準面として上記外輪１を支持固定した状態で上記ハブ２を回転させ、上記回転側支持フランジ１０の軸方向外側面に平面加工を施す事により、上記静止側支持フランジ６の軸方向外側面に対する上記回転側支持フランジ１０の軸方向外側面の面の平行度を向上させる。
【００４０】
この様な本例の製造方法を実施する場合に、上記中間基準側面部分として利用する、上記静止側支持フランジ６又は上記結合フランジ５の軸方向内側面は、元々の基準面である、上記静止側支持フランジ６の軸方向外側面に対して厳密に平行にする必要がある。そこで本例の場合には、上記外輪１を精密旋盤等の仕上加工装置のホルダ（チャック）に保持したままの状態で（途中にチャックから取り外す事なく）、図８に破線を付した、上記静止側支持フランジ６の軸方向外側面と、この静止側支持フランジ６又は上記結合フランジ５の軸方向内側面とを仕上げる、所謂ワンチャック加工を実施する。ワンチャック加工により上記外輪１を、ホルダから取り外す事なく、上記静止側支持フランジ６の軸方向外側面と上記中間基準側面部分として利用する面とに仕上加工を施せば、これら両面同士を、厳密に平行にできる。
【００４１】
そして、この様にして得た上記中間基準面部分は、上記仕上加工装置のホルダに、上記回転側支持フランジ１０に邪魔される事なく保持できる（この中間基準面部分をこのホルダの基準面に突き当てられる）。従って、上記静止側支持フランジ６又は上記結合フランジ５の軸方向内側面を上記中間基準面部分として利用すれば、上記静止側支持フランジ６の軸方向外側面と上記回転側支持フランジ１０の軸方向内側面との間隔が狭くても、上記回転側支持フランジ１０の軸方向外側面に仕上加工を施せる。この場合には、上記静止側支持フランジ６の軸方向外側面（静止側取付面１５）を、上記回転側支持フランジ１０の軸方向外側面（回転側取付面１４）を仕上げる為の基準面として、間接的に利用する事になる。尚、本例の様な製造方法は、ディスク付の車輪支持用転がり軸受ユニットで実施する事もできる。
【００４２】
［本発明に関する参考例の第３例］
図９は、本発明に関する参考例の第３例を示している。本参考例の場合には、外輪１の外周面に設けた静止側支持フランジ６の軸方向外側面（静止側取付面１５）を基準として、ハブ２の外周面に設けた回転側支持フランジ１０の軸方向外側面（回転側取付面）を仕上げる為にこのハブ２を保持した状態のまま（ワンチャックで）、この回転側支持フランジ１０の軸方向外側面の内径寄り部分に形成した位置決め筒部２７の外周面も（図９に破線を付した部分を一挙に）仕上げる様にしている。この位置決め筒部２７は、ディスク９（例えば図６参照）及び車輪のホイール（図示省略）の径方向に関する位置決めを図る為のものである。従って、上記位置決め筒部２７の外周面の中心軸は、上記ハブ２の回転中心に一致する必要がある。本参考例の場合には、上記回転側支持フランジ１０の軸方向外側面の仕上加工と上記位置決め筒部２７の外周面の仕上加工とを、加工装置に上記ハブ２を着脱する事なく、上記外輪１の内径側にこのハブ２を回転させつつ行なう為、このハブ２の回転中心と上記位置決め筒部２７の中心軸とを厳密に一致させる事ができる。この為、上記ハブ２に固定した車輪の振れ回りを抑えて、走行安定性等の走行性能の向上を図れる。
【００４３】
［本発明に関する参考例の第４例］
図１０〜１１は、本発明に関する参考例の第４例を示している。本参考例の場合には、静止側支持フランジ６により外輪１を支持した状態で回転側支持フランジ１０の軸方向外側面（回転側取付面１４）に仕上加工を施す際に、この回転側支持フランジ１０の軸方向外側面と水平面とを厳密に一致させたままにする事を意図している。上記静止側支持フランジ６は、上記外輪１に対しディスクブレーキのサポート又はキャリパを支持固定する為のものであるから、円周方向の一部にのみ存在する。従って、上記静止側支持フランジ６により上記外輪１を支持すると、この外輪１及びこの外輪１の内径側に組み付けられたハブ２が上記静止側支持フランジ６から片側に張り出した、所謂片持ち支持の状態となる。
【００４４】
この静止側支持フランジ６は、制動時にブレーキトルクを支承するものであるから、剛性は大きく、上記外輪１及びハブ２の重量による撓みは僅少ではあるが、全く撓まないとは言えない。撓む事は、図１０に示す様に、上記静止側支持フランジ６を支持板２８にねじ止め固定した場合でも、図１１に示す様に、この静止側支持フランジ６を受板２９と押圧腕３０との間で挟持（クランプ）した場合でも同じである。何れにしても、撓んだ場合には、上記ハブ２の回転中心軸の方向が鉛直方向からずれる。従って、上記回転側支持フランジ１０の軸方向外側面に、水平方向に移動する加工治具（バイト）による切削等の仕上加工を施しても、この回転側支持フランジ１０の軸方向外側面が上記ハブ２の回転中心軸に対し直角方向に向かなくなる。この結果、この回転側支持フランジ１０の軸方向外側面に支持固定したディスク９（例えば図４〜６参照）の軸方向両側面が、上記ハブ２の回転に伴って軸方向に振れる様になる。
【００４５】
この様な振れの原因になる、上記外輪１及び上記ハブ２の重量による上記静止側支持フランジ６の撓みを防止する為に、本参考例の場合には、上記外輪１の外周面に設けた結合フランジ５の下面を支え腕３１により、上記静止側支持フランジ６と径方向反対側に支持している。即ち、上記外輪１及び上記ハブ２の中心軸を鉛直方向に向けて、上記静止側支持フランジ６を、上記支持板２８に、或いは上記受板２９と上記押圧腕３０との間に支持固定した状態で、上記支え腕３１の先端面（上端面）を結合フランジ５の下面に突き当てている。そして、静止側取付面１５を基準面として回転側取付面１４に平面加工を施す際に、上記外輪１及び上記ハブ２の中心軸が、これら両部材１、２の自重により上記鉛直方向からずれる事を防止する様にしている。尚、上記支え腕３１は、これら両部材１、２の自重に見合う弾力により上方に押圧したままとしても、或いは、所定の高さ位置に固定しても良い。何れにしても、上記支え腕３１により前記撓みを防止しつつ、上記回転側取付面１４に平面加工を施す事により、この回転側取付面１４を上記ハブ２の回転中心に対し厳密に直角方向に位置させられる。尚、本参考例の様な製造方法も、ディスク付の車輪支持用転がり軸受ユニットで実施する事もできる。
【００４６】
［本発明を実施する場合の留意事項］
本発明の車輪支持用転がり軸受ユニットの製造方法は、外輪１とハブ２とを、複数の転動体を介して相対回転自在に組み合わせた後、回転側取付面１４或いはディスク９の軸方向両側面等の回転側円輪面と、静止側取付面１５との平行度を向上させる点にある。この様に、上記静止側部材と回転側部材とを組み合わせた後に上記各面に仕上加工を施す為、これら両部材の形状が熱処理等に伴って歪んでも、上記仕上加工に伴ってこの歪みに基づく変形分を除去できる。
【００４７】
但し、上記両部材を上記各転動体を介して組み合わせた後、上記仕上加工に伴って生じる切削屑や摩耗粉、更には切削油（クーラント）が、これら各転動体の設置部分に入り込まない様にする為の考慮が必要になる。この為、図１２に示す様に、ノズル３２から圧縮空気を噴出して上記切削屑、摩耗粉、切削油を吹き飛ばしたり、或いは、吸入ホース３３によりこれら切削屑、摩耗粉、切削油を吸入、排出する事が好ましい。
【００４８】
又、外周面に静止側支持フランジ６を設けた外輪１を支持した状態で上記各面に仕上加工を施す場合、この外輪１の中心軸を所定位置で鉛直方向に保持（芯出し）する必要がある。この場合、上記静止側支持フランジ６は、円周方向の一部だけに設けられているので、この静止側フランジ６を利用して、上記芯出しを行なう事はできない。この為、例えば図１３に示す様に、上記外輪１の軸方向内端部に設けた、この外輪１を懸架装置のナックルの支持孔に内嵌する部分（ナックルパイロット部）を、保持板３４の基準孔３５にがたつきなく内嵌する事が考えられる。或いは、図１４に示す様に、円周方向３個所位置に配置した芯出しローラ３６、３６をナックルパイロット部に押し付けて、上記外輪１の芯出しを行なう事もできる。何れの場合も、芯出し後に、前述の図１１に示した様に、上記静止側支持フランジ６を軸方向両側から強く挟持する等により、上記外輪１を支持固定してから、回転側支持フランジ１０の軸方向外側面に仕上加工を施す。
【００４９】
更に、この回転側支持フランジ１０の軸方向外側面に仕上加工を施す際には、上記外輪１の内径側でハブ２を回転させる必要がある。この為には、例えば上記図１４に示した構造で、何れか又は総ての芯出しローラ３６を回転させたり、図１５に示す様に、上記ハブ２の軸方向外端面と摩擦係合した駆動腕３７によりこのハブ２を回転駆動する事もできる。更には、このハブ２の軸方向外端面のうちで位置決め筒部２７に周囲を囲まれた部分に設けた突起と駆動腕の一部とを凹凸係合させ、上記ハブ２を回転駆動する事もできる。
【産業上の利用可能性】
【００５０】
図７〜８に示した実施の形態の１例及び図９〜１１に示した参考例の第４〜５例の製造方法は、前述の図４に示す様な、静止側支持フランジ６の軸方向外側面である静止側取付面１５を基準として、ディスク９の軸方向両側面に仕上加工する場合にも適用できる。但し、図９に示した、位置決め筒部２７の外周面の仕上加工に関しては、この位置決め筒部２７の先半部（図９の上半部）で、車輪のホイールを外嵌する部分のみが対象となる。
【符号の説明】
【００５１】
１  外輪
２  ハブ
３  玉
４ａ、４ｂ  外輪軌道
５  結合フランジ
６  静止側支持フランジ
７  ハブ本体
８  内輪
９  ディスク
１０  回転側支持フランジ
１１ａ、１１ｂ  内輪軌道
１２    圧入孔
１３    スタッド
１４    回転側取付面
１５    静止側取付面
１６    制動用摩擦面
１７ａ、１７ｂ  支持具
１８ａ、１８ｂ  側面
１９ａ、１９ｂ、１９ｃ  工具
２０    凹部
２１    ねじ
２２ａ、２２ｂ  側面
２３ａ、２３ｂ  支持具
２４ａ、２４ｂ、２４ｃ  工具
２５    抑えナット
２６    ねじ孔
２７    位置決め筒部
２８    支持板
２９    受板
３０    押圧腕
３１    支え腕
３２    ノズル
３３    吸入ホース
３４    保持板
３５    基準孔
３６    芯出しローラ
３７    駆動腕
３８    通孔
【図１】
0005408271.tif 000002
【図２】
0005408271.tif 000003
【図３】
0005408271.tif 000004
【図４】
0005408271.tif 000005
【図５】
0005408271.tif 000006
【図６】
0005408271.tif 000007
【図７】
0005408271.tif 000008
【図８】
0005408271.tif 000009
【図９】
0005408271.tif 000010
【図１０】
0005408271.tif 000011
【図１１】
0005408271.tif 000012
【図１２】
0005408271.tif 000013
【図１３】
0005408271.tif 000014
【図１４】
0005408271.tif 000015
【図１５】
0005408271.tif 000016
【図１６】
0005408271.tif 000017
【図１７】
0005408271.tif 000018
【図１８】
0005408271.tif 000019